(57)【要約】【課題】ロックレバーとロック板とにより内扉を本体キャビネットの商品収納庫の前面を閉塞した状態で確実にロックすることが可能な自動販売機を提供する。【解決手段】本体キャビネットの商品収納庫の前面を閉塞して断熱する態様で前記本体キャビネットに開閉自在に軸支された片開き式の内扉と、下部側内扉３ｂに設けた回転スライド式のロックレバー４０と本体キャビネット１に設けたロック板５０とにより下部側内扉３ｂを本体キャビネット１の商品収納庫の前面を閉塞した状態でロックするものであって、前記ロックレバー４０の係合部４３０は、ロックレバー４０とロック板５０により内扉３（下部側内扉３ｂ）をロックした状態で、その係合部４３０の先端のロック板５０の当接面５５０との当接位置が死点位置を超えた位置となる態様の角度で折り曲げてなる。【選択図】図３
2019105980.tif 000002
【特許請求の範囲】
【請求項１】
前面が開口した断熱筐体からなる本体キャビネットと、この本体キャビネットの商品収納庫の前面を閉塞して断熱する態様で前記本体キャビネットに開閉自在に軸支された片開き式の内扉と、内扉に取り付けた回転スライド式のロックレバーと本体キャビネットに取り付けられたロック板とにより内扉を本体キャビネットの商品収納庫の前面を閉塞した状態でロックする自動販売機であって、ロックレバーが直線状の軸部と、この軸部の一端側に軸部の中心軸線に対して略垂直に延在する態様で折り曲げられた操作部と、軸部の他端側に軸部の中心軸線に対して略垂直に延在し、かつ、操作部に対して直交する態様で折り曲げられた係合部とからなり、ロック板がロックレバーの係合部を挿通可能な挿通孔とロックレバーの回転により係合部が前方に向けて回動する場合に係合部の先端と当接する当接面とを有し、前記挿通孔の上下方向の高さがロックレバーの回転により垂直方向を向く状態の係合部を挿通可能な高さを有し、前記挿通孔の前後方向の幅がロックレバーの回転により係合部の先端が当接面に当接してから係合部が水平方向を向く状態に至る際に軸部が後方に移動するのを許容する幅を有する態様で形成されてなる自動販売機において、前記ロックレバーの係合部は、ロックレバーの係合部をロック板の当接面に当接させて内扉を本体キャビネットの商品収納庫の前面を閉塞した状態にロックした状態で、係合部の先端のロック板の当接面との当接位置が死点位置を超えた位置となる態様の鋭角の角度で折り曲げてなることを特徴とする自動販売機。
【請求項２】
請求項１に記載の自動販売機において、ロック板の挿通孔の前縁に内方に突出する態様で斜め後方に延在するガイド片を設けたことを特徴とする自動販売機。
【請求項３】
請求項２に記載の自動販売機において、ガイド片は上端から下方に向かうに従って突出量が漸減するように形成されてなることを特徴とする自動販売機。
【発明の詳細な説明】
【技術分野】
【０００１】
この発明は、前面が開口した断熱筐体からなる本体キャビネットと、この本体キャビネットの商品収納庫の前面を閉塞・開放する態様で前記本体キャビネットに開閉自在に軸支された断熱製の内扉とを備えた自動販売機に係り、特に前記商品収納庫の前面を閉塞する態様で前記内扉を本体キャビネットに係止するロック装置に関するものである。
【背景技術】
【０００２】
缶入り飲料，ペットボトル入り飲料などの商品を販売する自動販売機は断熱筐体としてなる本体キャビネットの商品収納庫内に前記商品をコールド，ホット，常温状態に区分して保存し、外扉のディスプレイ室内に複数の商品見本を左右に並べて展示し、前記商品見本に対応して設けられた商品選択ボタンの操作に基いて選択された商品を販売するように構成されている。この種の自動販売機について図６乃至図８を用いて説明する。図６は従来の自動販売機を示し、（ａ）は外扉および内扉開放状態の自動販売機の斜視図、（ｂ）は外扉を取り外した自動販売機の正面図、図７は図６のロック装置の斜視図、図８は図６のロック装置の動作を説明する側面図である。
【０００３】
この自動販売機は、図６に示すように、前面が開口した本体キャビネット１と、本体キャビネット１の前面にヒンジ機構２１により開閉可能に支持された片開き式の外扉２とを備え、前記本体キャビネット１は鋼板製の外箱の内側に上壁，左右側壁，背壁および底壁１ａにウレタンフォームからなる断熱ボードを配設して断熱筐体として構成されている。前記本体キャビネット１の断熱ボードで囲まれた商品収納庫内は断熱仕切板１１により左右方向に複数の商品収納庫１２，１３，１４に区画されている。前記各商品収納庫１２，１３，１４には、この例ではサーペンタイン方式と呼ばれる蛇行した商品収納通路を有する商品収納ラック１５がそれぞれ収設されている。前記商品収納通路の上端入口は商品投入口ＳＬに連通し、商品収納通路の出口には商品搬出装置（不図示）が配設されている。商品収納ラック１５の下部には前下がりの姿勢に傾斜して配された商品搬出シュータ１６が配設されている。前下がりの姿勢に傾斜して配された商品搬出シュータ１６の背後の空間には、不図示の蒸発器，庫内ファン，ヒータなどからなり、商品収納ラック１５に収納した商品を冷却若しくは加熱してコールド若しくはホット状態に保存する冷却／加熱ユニットが配設されている。前記外扉２の前面の上部域は商品見本を展示する透明板で覆われたディスプレイ室として形成され、前記透明板の前面には商品選択ボタンユニットが設けられ、商品選択ボタンユニットには展示された商品見本に対応して設けられた商品選択ボタンを有している。また、外扉２の前面には硬貨投入口、紙幣挿入口、硬貨返却口、返却レバー、商品取出口、ハンドルロックなどが設けられている。
【０００４】
前記本体キャビネット１の前面を開閉する外扉２と本体キャビネット１における商品収納庫の前面との間には上部側内扉３ａと下部側内扉３ｂに分割された断熱製の内扉３が配設されている。上部側内扉３ａは幅方向一端側（正面視左端側）がヒンジ機構（不図示）を介して開閉自在に外扉２の背面に配設されて外扉２の開閉に応じて商品収納庫の前面を閉塞・開放する。下部側内扉３ｂは幅方向一端側（正面視左端側）がヒンジ機構３２，３２（図６の（ｂ）参照）を介して本体キャビネット１に開閉自在に配設されている。下部側内扉３ｂの他端側（ヒンジ機構３２，３２と反対側の端部であり、正面視右端側）には商品収納庫の前面を閉塞する態様で下部側内扉３ｂを本体キャビネット１に設けたロック板５に係止するロックレバー４が設けられている。ロックレバー４とロック板５とが商品収納庫の前面を閉塞する態様で下部側内扉３ｂを本体キャビネット１に係止するロック装置を構成している。また、下部側内扉３ｂには各商品収納庫１２，１３，１４の商品収納ラック１５から払い出された商品を送出するシュート１６と対峙する位置に搬出扉３１を有する商品搬出口が設けられている。前記搬出扉３１は上端を軸支されて垂下するとともに自重により商品搬出口を閉塞して冷気若しくは暖気の流出を防止しており、シュート１６を介して搬出される商品により押し開かれ、当該商品を外扉２の商品取出口２ａに送出するように形成されている。なお、上部側内扉３ａと下部側内扉３ｂとの商品収納庫の前面に当接する箇所には不図示のガスケットが配設されている。
【０００５】
本体キャビネット１の底壁１ａの下部は機械室１７として形成され、この機械室１７には前記冷却／加熱ユニットの蒸発器と冷凍サイクルを形成する冷凍機コンデンシングユニット（不図示）が配設されている。冷凍機コンデンシングユニットは、圧縮機，凝縮器，庫外ファン，膨張弁などからなり、商品収納庫外に配された凝縮器と商品収納庫内に配された蒸発器が膨張弁を介して冷媒配管により接続されている。
【０００６】
ロックレバー４は、図７に示すように丸棒状部材からなり、下部側内扉３ｂに固着された縦断面Ｕ字状の保持部材６の軸受部６ａに回転およびスライド移動自在に保持される直線状に延在する軸部４１と、軸部４１の一端側に軸部４１の中心軸線に対して略垂直に延在する態様で折り曲げられるとともに自由端に把手部４２ａを有する操作部４２と、軸部４１の他端側に軸部４１の中心軸線に対して略垂直に延在し、かつ、操作部４２に対して直交する態様で折り曲げられた係合部４３とを備えた回転スライド式に形成されている。ロック板５は、薄い箱形に折り曲げて形成された板状部材からなり、本体キャビネット１の幅方向他端側の内壁前方側にねじＳにより固着されている。ロック板５は、庫内を向く板面にロックレバー４の係合部４３を挿通可能な挿通孔５１を有し、挿通孔５１の下縁に前方側から後方側に向けて高くなるように傾斜した傾斜面５２およびこの傾斜面５２に引き続いて後方側に水平に延在する規制部５３が形成されてなり、箱形周壁の前壁５４が挿通孔５１を介して挿入されたロックレバー４の係合部４３の先端と当接する当接面として形成されている。前記挿通孔５１の上下方向の高さはロックレバー４の回転により垂直方向を向く状態の係合部４３を挿通可能な高さを有し、前後方向の幅はロックレバー４の回転により係合部４３の先端が前壁５４（当接面）に当接して係合部４３が水平方向を向く状態に至る際に軸部４１が後方に移動するのを許容する幅を有する態様で形成されている。
【０００７】
ロックレバー４により下部側内扉３ｂを本体キャビネット１に係止する場合、下部側内扉３ｂを本体キャビネット１の商品収納庫の前面を閉塞する態様で閉じた後、ロックレバー４の操作部４２を下部側内扉３ｂから離隔させる態様で前方側に引き上げてロックレバー４を回転させたうえでロックレバー４を幅方向他端側（正面視右側）にスライドさせてロック板５の挿通孔５１にロックレバー４の係合部４３を挿通させる（図８の（ａ））。次に、操作部４２を下部側内扉３ｂ密着させる態様で下方に押し下げてロックレバー４を回転させる。操作部４２を押し下げて下部側内扉３ｂに当接させるまでの途中において、図８の（ｂ）に示すように係合部４３の先端がロック板５の前壁５４（当接面）に当接すると、ロックレバー４（下部側内扉３ｂ）が後方に押圧される。これにより、ロックレバー４の軸部４１は挿通孔５１の傾斜面５２に沿って斜め上方に案内されながら後方に移動した後、規制部５３に乗り上げると操作部４２が下部側内扉３ｂに当接しロックレバー４の回動が規制される。この状態で、図８の（ｃ）に示すように係合部４３の先端が前壁５４（当接面）と略垂直に当接しており、下部側内扉３ｂの背面に設けたガスケット（不図示）が商品収納庫２の前面に押し付けられ、その上下方向の位置を予め定められた位置に規制されて係止される。
【先行技術文献】
【特許文献】
【０００８】
【特許文献１】特許第３８８８２７７号公報
【発明の概要】
【発明が解決しようとする課題】
【０００９】
前記特許文献１に開示された発明によれば、下部側内扉３ｂに取付けられたロックレバー４と本体キャビネット１に取付けられたロック板５とにより下部側内扉３ｂを本体キャビネット１の商品収納庫の前面を閉塞した状態でロックすることができ、その際に下部側内扉３ｂが商品収納庫の前面に押圧されることにより下部側内扉３ｂによる断熱性（気密性）を高めることができる点で優れている。
【００１０】
ところが、ロックレバー４により下部側内扉３ｂを本体キャビネット１に係止した状態でロックレバー４の係合部４３の先端がロック板５の前壁５４（当接面）と略垂直に当接している。つまり、ロックレバー４の係合部４３の先端のロック板５の前壁５４（当接面）と当接する点が死点位置となる。そして、下部側内扉３ｂは幅方向一端側（正面視左端側）がヒンジ機構３２，３２を介して本体キャビネット１に結合された片開き式のドアとして形成され、下部側内扉３ｂが比較的重量物であることやヒンジ機構３２，３２が「がた」を有することが相俟って、ロックレバー４が取り付けられた他端側が下がるように傾くことは否めない。そのため、ロックレバー４とロック板５とにより下部側内扉３ｂを本体キャビネット１の商品収納庫の前面を閉塞したロック状態で、下部側内扉３ｂを押し下げるような外力（商品ローディング時，メンテナンス時）、或いは自動販売機に振動が加わった際にロックレバー４が取り付けられた他端側が下がるように傾くと、係合部４３の先端のロック板５の前壁５４（当接面）との当接点が死点位置にあるロックレバー４も下ろうとするが、係合部４３の先端とロック板５の前壁５４（当接面）との摩擦によりロックレバー４には下部側内扉３ｂを商品収納庫の前面を閉塞した状態でロックする際の回転方向とは逆方向（ロックを引き外す方向）の回転力が作用し、ロック状態が引き外されるおそれがある。
【００１１】
また、前述したように下部側内扉３ｂを支持するヒンジ機構３２，３２が「がた」を有することにより、その「がた」分だけ下部側内扉３ｂが幅方向（左右方向）にずれることがあるため、ロックレバー４のスライド移動量は前記「がた」を見込んで定められている。しかしながら、経年変化により予想外に「がた」が大きくなるとロックレバー４の係合部４３をロック板５の挿通孔５１に完全に挿通させることができなくなる。この場合、ロックレバー４の係合部４３がロック板５の挿通孔５１の縁部に位置する場合、ロックレバー４の回転により係合部４３が挿通孔５１の縁部を乗り越えて完全に挿通されればロックレバー４により下部側内扉３ｂを本体キャビネット１に係止した状態にロックすることができるが、ロックレバー４の回転により係合部４３が挿通孔５１の縁部を乗り越えない場合にはロックレバー４により下部側内扉３ｂを本体キャビネット１に係止した状態にロックすることができない。下部側内扉３ｂを幅方向右端側に寄せるようにしつつロックレバー４を操作すればロックレバー４の係合部４３を挿通孔５１に挿通させることもできるが、閉じた状態の下部側内扉３ｂを幅方向右端側に寄せることは困難なものである。
【００１２】
このように、ロックレバー４の係合部４３がロック板５の挿通孔５１の縁部に到達していてもロックレバー４により下部側内扉３ｂを本体キャビネット１に係止した状態にロックすることができない事態が生じるおそれがある。これを解決するにはロックレバー４のスライド移動量を大きくすればよいが、スライド移動量を大きくする場合にはロックレバー４の軸部４１の長さを大きくする一方、回転スライド式のロックレバー４の保持および操作を安定化させるために保持部材６(軸受部６a)を大きくせねばならないとともに既設の自動販売機に適用（ロックレバー４と保持部材６を交換）するために新たなロックレバー４と保持部材６を用意せねばならないので保守用部品の在庫数が増加するという課題を有する。
【００１３】
本発明は上記の点に鑑みなされたものであり、その目的は前記課題を解決し、ロックレバーとロック板とにより内扉を本体キャビネットの商品収納庫の前面を閉塞した状態で確実にロックすることが可能な自動販売機を提供することにある。
【課題を解決するための手段】
【００１４】
上記目的を達成するために請求項１に係る発明は、前面が開口した断熱筐体からなる本体キャビネットと、この本体キャビネットの商品収納庫の前面を閉塞して断熱する態様で前記本体キャビネットに開閉自在に軸支された片開き式の内扉と、内扉に取り付けた回転スライド式のロックレバーと本体キャビネットに取り付けられたロック板とにより内扉を本体キャビネットの商品収納庫の前面を閉塞した状態でロックする自動販売機であって、ロックレバーが直線状の軸部と、この軸部の一端側に軸部の中心軸線に対して略垂直に延在する態様で折り曲げられた操作部と、軸部の他端側に軸部の中心軸線に対して略垂直の方向に延在し、かつ、操作部に対して直交する態様で折り曲げられた係合部とからなり、ロック板がロックレバーの係合部を挿通可能な挿通孔とロックレバーの回転により係合部が前方に向けて回動する場合に係合部の先端と当接する当接面とを有し、前記挿通孔の上下方向の高さがロックレバーの回転により垂直方向を向く状態の係合部を挿通可能な高さを有し、前記挿通孔の前後方向の幅がロックレバーの回転により係合部の先端が当接面に当接してから係合部が水平方向を向く状態に至る際に軸部が後方に移動するのを許容する幅を有する態様で形成されてなる自動販売機において、前記ロックレバーの係合部は、ロックレバーの係合部をロック板の当接面に当接させて内扉を本体キャビネットの商品収納庫の前面を閉塞した状態にロックした状態で、係合部の先端のロック板の当接面との当接位置が死点位置を超えた位置となる態様の角度で折り曲げてなることを特徴とする。
【００１５】
また、請求項２に係る発明は、請求項１に記載の自動販売機において、ロック板の挿通孔の前縁に内方に突出する態様で斜め後方に延在するガイド片を設けたことを特徴とする。
【００１６】
また、請求項３に係る発明は、請求項２に記載の自動販売機において、ガイド片は上端から下方に向かうに従って突出量が漸減するように形成されてなることを特徴とする。
【発明の効果】
【００１７】
本発明の請求項１に係る自動販売機によれば、前面が開口した断熱筐体からなる本体キャビネットと、この本体キャビネットの商品収納庫の前面を閉塞して断熱する態様で前記本体キャビネットに開閉自在に軸支された片開き式の内扉と、内扉に取り付けた回転スライド式のロックレバーと本体キャビネットに取り付けられたロック板とにより内扉を本体キャビネットの商品収納庫の前面を閉塞した状態でロックする自動販売機であって、ロックレバーが直線状の軸部と、この軸部の一端側に軸部の中心軸線に対して略垂直に延在する態様で折り曲げられた操作部と、軸部の他端側に軸部の中心軸線に対して略垂直に延在し、かつ、操作部に対して直交する態様で折り曲げられた係合部とからなり、ロック板がロックレバーの係合部を挿通可能な挿通孔とロックレバーの回転により係合部が前方に向けて回動する場合に係合部の先端と当接する当接面とを有し、前記挿通孔の上下方向の高さがロックレバーの回転により垂直方向を向く状態の係合部を挿通可能な高さを有し、前記挿通孔の前後方向の幅がロックレバーの回転により係合部の先端が当接面に当接してから係合部が水平方向を向く状態に至る際に軸部が後方に移動するのを許容する幅を有する態様で形成されてなる自動販売機において、前記ロックレバーの係合部は、ロックレバーの係合部をロック板の当接面に当接させて内扉を本体キャビネットの商品収納庫の前面を閉塞した状態にロックした状態で、係合部の先端のロック板の当接面との当接位置が死点位置を超えた位置となる態様の角度で折り曲げてなることにより、ロックレバーの係合部をロック板の当接面に当接させて内扉を本体キャビネットに係止した状態でロックレバーの係合部は前下がりに傾斜してロックレバーの係合部の先端のロック板の当接面との当接位置が死点を越えて当接していることから、内扉に押し下げるような外力、或いは自動販売機に振動が加わった場合にロックレバーの係合部が前下がりに傾斜した状態を維持しつつ下方に移動するので、ロックレバーに内扉を商品収納庫の前面を閉塞した状態でロックする際の回転方向とは逆方向（ロックを引き外す方向）の回転力が作用するのをなくすことができ、ロックレバーとロック板により内扉のロック状態が不測に引き外されるおそれがないという利点を有する。
【００１８】
また、本発明の請求項２に係る自動販売機によれば、請求項１に記載の自動販売機において、ロック板の挿通孔の前縁に内方に突出する態様で斜め後方に延在するガイド片を設けたことにより、ロックレバーの係合部をロック板の挿通孔に挿通させる際、ロックレバーのスライド移動量の不足によってロックレバーの係合部がロック板の挿通孔に到達していない場合にもロックレバーの係合部の先端がガイド片に当接すればロックレバーの回転により係合部がガイド片に沿って挿通孔に案内されて挿通を遂げることから、ロックレバーのスライド移動量が足りずにロックレバーにより内扉を本体キャビネットに係止した状態にロックすることができないという事態を回避することができる。
【００１９】
また、請求項３に係る自動販売機によれば、請求項２に記載の自動販売機において、ガイド片は上端から下方に向かうに従って突出量が漸減するように形成されてなることにより、ロックレバーの係合部がガイド片に沿って挿通孔に案内される際、係合部の先端以外の部位がガイド片に当接することがないので、ロックレバーの回転により係合部をスムーズに挿通孔に案内することが可能となる。
【図面の簡単な説明】
【００２０】
【図１】本発明の実施の形態に係る自動販売機の斜視図である。
【図２】本発明の実施の形態に係る自動販売機を示し、外扉および内扉開放状態の自動販売機の斜視図である。
【図３】図２の内扉とロックレバーを示し、（ａ）はロックレバーを内扉に取り付けた状態の斜視図、（ｂ）は（ａ）の分解図、（ｃ）はロックレバーの側面図である。
【図４】図２の本体キャビネットとロック板を示し、（ａ）はロック板を本体キャビネットに取り付けた状態の斜視図、（ｂ）は（ａ）のＡ−Ａ線断面図、（ｃ）は（ａ）の分解図、（ｄ）はロック板の背面図である。
【図５】ロックレバーとロック板とからなるロック装置の動作を説明する側面図であり、（ａ）乃至（ｃ）はそれぞれロック装置により内扉を閉じた状態にロックする際の操作過程を順序通りに示すものである。
【図６】従来の自動販売機を示し、（ａ）は外扉および内扉開放状態の自動販売機の斜視図、（ｂ）は外扉を取り外した自動販売機の正面図である。
【図７】図６のロック装置の斜視図である。
【図８】図６のロック装置の動作を説明する側面図であり、（ａ）乃至（ｃ）はそれぞれロック装置により内扉を閉じた状態にロックする際の操作過程を順序通りに示すものである。
【発明を実施するための形態】
【００２１】
以下、本発明の実施の形態の自動販売機を添付図面に基づいて詳細に説明する。なお、図６乃至図８に示す従来の自動販売機と同一のものには同一の符号を付して重複する説明は省略する。
【００２２】
図１に示すように本発明に係る自動販売機は、前面が開口した断熱筐体として構成された本体キャビネット１と、本体キャビネット１の前面に開閉可能に支持された片開き式の外扉２と、外扉２と本体キャビネット１の前面との間に配設された内扉３とを備えている。断熱筐体として構成された本体キャビネット１の庫内が商品収納庫をなし、本体キャビネット１の下部が機械室１７として構成されている。商品収納庫内は断熱仕切板１１により左右方向に複数の商品収納庫１２，１３，１４に区画されている。前記各商品収納庫１２，１３，１４には、この例ではサーペンタイン方式と呼ばれる蛇行した商品収納通路を有する商品収納ラック１５がそれぞれ収設されている。商品収納ラック１５の下部には前下がりの姿勢に傾斜して配された商品搬出シュータ１６が配設され、商品搬出シュータ１６の背後の空間に商品収納ラック１５に収納した商品を冷却若しくは加熱してコールド若しくはホット状態に保存する冷却／加熱ユニットが配設されている。
【００２３】
前記外扉２の前面の上部域は商品見本２１を展示する透明板２２で覆われたディスプレイ室２３として形成され、前記透明板２２の前面には商品選択ボタンユニット２４が設けられ、商品選択ボタンユニット２４には展示された商品見本２１に対応して設けられた商品選択ボタン２４ａを有している。また、外扉２の前面には硬貨投入口２５、紙幣挿入口２６、返却レバー２７、硬貨返却口２８、商品取出口２ａなどの商品の販売に必要なもの、外扉２を閉止状態にロックするハンドルロック２９などが設けられている。
【００２４】
前記内扉３は、上部側内扉３ａと搬出扉３１が設けられた下部側内扉３ｂに分割されている。上部側内扉３ａは幅方向一端側（正面視左端側）がヒンジ機構（不図示）を介して開閉自在に外扉２の背面に配設されて外扉２の開閉に応じて商品収納庫の前面を閉塞・開放する一方、下部側内扉３ｂは幅方向一端側（正面視左端側）がヒンジ機構３２，３２（図６参照）を介して本体キャビネット１に開閉自在に配設されている。下部側内扉３ｂの他端側（ヒンジ機構３２，３２と反対側の端部であり、正面視右端側）には商品収納庫の前面を閉塞する態様で下部側内扉３ｂを本体キャビネット１に設けたロック板５０に係止するロックレバー４０が設けられている。ロックレバー４０とロック板５０とが商品収納庫の前面を閉塞する態様で下部側内扉３ｂを本体キャビネット１に係止するロック装置を構成している。また、下部側内扉３ｂには各商品収納庫１２，１３，１４の商品収納ラック１５から払い出された商品を送出するシュート１６と対峙する位置に搬出扉３１を有する商品搬出口が設けられている。上部側内扉３ａと下部側内扉３ｂとの商品収納庫の前面に当接する箇所には不図示のガスケットが配設されている。また、上部側内扉３ａは、発泡ウレタンなどの断熱材ボードで構成される矩形の断熱扉本体３０と、断熱扉本体３０の周囲四辺の縁部に固着された金属製の外枠３００とを備えて構成され、下部側内扉３ｂは、背面が開放した薄い箱形の金属性保護板３０１の背後に発泡ウレタンなどの断熱材ボードで構成される断熱扉本体３０を貼着した構成になる。なお、下部側内扉３ｂの構造を上部側内扉３ａの構造と同一とし、前方に金属製保護板を設けることもできるものであり、内扉３の構造は実施の形態に限定されるものではない。
【００２５】
前記ロックレバー４０は、図３に示すように丸棒状部材からなり、直線状に延在する軸部４１０と、軸部４１０の一端側に軸部４１０の中心軸線に対して略垂直の方向に延在する態様で折り曲げられるとともに自由端に把手部４２０ａを有する操作部４２０と、軸部４１０の他端側に軸部４１０の中心軸線に対して略垂直に折り曲げられた係合部４３０とを備えている。前記係合部４３０は、ロックレバー４０の係合部４３０を後述するロック板５０の当接面５５０に当接させて下部側内扉３ｂを本体キャビネット１の商品収納庫の前面を閉塞した状態にロックした状態で、係合部４３０の先端のロック板５０の当接面５５０との当接位置（図３の（ｃ）に示す線分Ｐ１上の点）が死点位置（図３の（ｃ）に示す線分Ｐ０上の点）を超えた位置となる態様の角度αで折り曲げられており、軸部４１０に対して角度αで前下がりに傾斜している。
【００２６】
ロックレバー４０を保持する保持部材６０は、図３の（ｂ）に示すように、固定部６１とレバー保持部６２とを直角に折り曲げて形成した金属製になる。固定部６１はねじ挿通孔６１ａが形成されるとともに上端側がダブルホールドされている。レバー保持部６２にはＵ字状の軸受部６３と、軸受部６３の上方に位置する係止片６４と、軸受部６３の下方に位置して幅方向一端側（正面視左端側）に突出する操作部当接片６５とが設けられている。なお、下部側内扉３ｂの金属性保護板３０１の側縁にはねじ挿通孔３０２が穿孔され、金属性保護板３０１の前面には係止孔３０３が穿設されている。なお、操作部当接片６５はロックレバー４０の操作部４２０を下部側内扉３ｂの板面から浮かせて把手部４２０ａを摘まみ易くするものである。
【００２７】
この保持部材６０の下部側内扉３ｂへの取り付けは次のように行われる。すなわち、レバー保持部６２の軸受部６３にロックレバー４０の軸部４１０を嵌め込んだ状態でレバー保持部６２の係止片６４を下部側内扉３ｂの金属性保護板３０１に設けた係止孔３０３に挿入したうえで固定部６１のねじ挿通孔６１ａを金属性保護板３０１のねじ挿通孔３０２に対峙させた後、固定部６１の外側からねじＳ１を前記固定部６１のねじ挿通孔６１ａと金属性保護板３０１のねじ挿通孔３０２とに挿入して締め付けることにより螺着する。これにより保持部材６０の左右方向への移動がねじＳ１で阻止される一方、ねじＳ１を中心とする前後方向への回転が係止６４により阻止される。そして、保持部材６０の軸受部６３に軸部４１０が遊嵌されて下部側内扉３ｂに取り付けられたロックレバー４０は、軸部４１０を中心とする回転と軸部４１０の中心軸線方向へのスライドが可能な回転スライド式の形態をなすものである。
【００２８】
前記ロック板５０は、図４に示すように矩形状で広幅の基板部５００と、この基板部５００の前端から直角に折り曲げられた段部５０１と、この段部５０１を介して基板部５００と一体的に形成された狭幅の当接部５０２を有する態様で折り曲げて形成された厚板鋼板製になる。このロック板５０は本体キャビネット１の幅方向の他端側に設けられた補強枠１００の形状に対応して形成されている。すなわち、図４の（ｂ）に示すように、補強枠１００は前後の凹部１１１，１１２の間に凸部１１３を有し、ロック板５０の段部５０１が補強枠１００の凸部１１３の高さに略一致し、基板部５００を補強枠１００の凸部１１３の頭部に載置した際に当接部５０２が補強枠１００の凹部１１１の底部に当接するように形成されている。ロック板５０の基板部５００を補強枠１００の凸部１１３の頭部に載置することによりロック板５０の内方（庫内側）への突出量を抑えて下部側内扉３ｂの旋回軌跡と干渉することがないように構成されている。なお、図４の（ｂ）において、１０００は本体キャビネット１の外郭をなす金属製外枠である。
【００２９】
ロック板５０の基板部５００にはロックレバー４０の係合部４３０を挿通可能な挿通孔５１０が形成され、挿通孔５１０の下縁に前方側から後方側に向けて高くなるように傾斜した傾斜面５２０およびこの傾斜面５２０に引き続いて後方側に水平に延在する規制部５３０が形成されている。前記挿通孔５１０の前縁には内方（庫内側）に突出する態様で斜め後方に延在するガイド片５４０が設けられている。このガイド片５４０は、上端から下方に向かうに従って突出量が漸減するように形成されてなるものである。また、基板部５００の板面の上端寄りにはねじ挿通孔５００ａが穿孔され、基板部５００の下縁には係止片５００ｂが設けられている。係止片５００ｂの幅は補強枠１００の凸部１１３の幅よりも僅かに小さく形成されている。そして、前記段部５０１の後面側は、挿通孔５１０を介して挿入されたロックレバー４０の係合部４３０の先端が当接する当接面５５０を構成している。
【００３０】
ここで、前記挿通孔５１０の上下方向の高さはロックレバー４０の回転により垂直方向を向く状態の係合部４３０を挿通可能な高さを有し、前後方向の幅はロックレバー４０の回転により係合部４３０の先端が当接面５５０に当接して係合部４３０が水平方向を向く状態に至る際に軸部４１０が後方に移動するのを許容する幅を有する態様で形成されているものである。なお、図４に示すように、本体キャビネット１の幅方向の他端側に設けられた補強枠１００の凸部１１３の頭部にはねじ溝付きのねじ穴１００ａが形成されるとともに凸部１１３の一部に切り欠き１００ｂを形成してロックレバー４０の係合部４３０を受容する空間が形成されている。切り欠き１００ｂの上下方向の長さは、挿通孔５１０の上下方向の高さよりも大きく、ロック板５０の基板部５００の上下方向の高さよりも短く形成されている。
【００３１】
このロック板５０の本体キャビネット１への取り付けは、ロック板５０の基板部５０１に設けた係止片５００ｂを補強枠１００の凸部１１３の頭部に設けた切り欠き１００ｂを介して凸部１１３の内部に挿入しつつロック板５０の基板部５０１を補強枠１００の凸部１１３の頭部に載置する。そして、基板部５０１に設けたねじ挿通孔５００ａを凸部１１３の頭部に設けたねじ溝付きのねじ穴１００ａに対峙させた後、ねじＳ２を前記基板部５０１のねじ挿通孔５００ａを介して凸部１１３のねじ溝付きのねじ穴１００ａに挿入して螺着する。これによりロック板５０の左右方向への移動がねじＳ２と凸部１１３の内部に挿入された係止片５００ｂとで阻止される一方、ねじＳ２を中心とする前後方向への回転が係止片５００ｂにより阻止される。
【００３２】
次に、ロックレバー４０により下部側内扉３ｂを本体キャビネット１に係止する場合の動作について図５を参照しつつ説明する。先ず、下部側内扉３ｂを本体キャビネット１の商品収納庫の前面を閉塞する態様で閉じた後、ロックレバー４０の操作部４２０を下部側内扉３ｂから離隔させる態様で前方側に引き上げてロックレバー４０を回転させたうえでロックレバー４０を幅方向他端側（正面視右側）にスライドさせてロック板５０の挿通孔５１０にロックレバー４０の係合部４３０を挿通させる（図５の（ａ）参照）。この場合、ロックレバー４０の幅方向他端側（正面視右側）へのスライド移動量が不測して係合部４３０がロック板５０の挿通孔５１０に僅かに達していない場合にも、ロックレバー４０の係合部４３０の先端がロック板５０のガイド片５４０に到達しておれば、ロックレバー４０の回転により係合部４３０がガイド片５４０に沿って挿通孔５１０に案内されて挿通を遂げることから、ロックレバー４０のスライド移動量が足りずにロックレバー４０により下部側内扉３ｂを本体キャビネット１に係止した状態にロックすることができないという事態を回避することができる。
【００３３】
次に、操作部４２０を下部側内扉３ｂに密着させる態様で下方に押し下げてロックレバー４０を回転させる。操作部４２０を押し下げて下部側内扉３ｂに当接させるまでの途中において、図５の（ｂ）に示すように係合部４３０の先端がロック板５０の当接面５５０に当接すると、ロックレバー４０（下部側内扉３ｂ）が後方側に押圧される。これにより、ロックレバー４０の軸部４１０は挿通孔５１０の傾斜面５２０に沿って斜め上方に案内されながら後方側に移動した後、規制部５３０に乗り上げると操作部４２０が下部側内扉３ｂ（保持部材６０のレバー保持部６２）に当接しロックレバー４０の回動が規制される。この状態で、図５の（ｃ）に示すように係合部４３０が下部側内扉３ｂの板面に平行な操作部４２０に対して鋭角となる角度でロック板５０の当接面５５０に当接し、下部側内扉３ｂの背面に設けたガスケット（不図示）が商品収納庫２の前面に押し付けられて下部側内扉３ｂによる気密性（断熱性）が保たれる。
【００３４】
ここで、図５に（ｃ）に示す状態において、ロックレバー４０の係合部４３０の先端はロックレバー４０の軸部４１０の中心軸線に対して直角の水平線よりも下方に位置してロック板５０の当接面５５０に当接している。つまり、ロックレバー４０の係合部４３０は操作部４２０が下部側内扉３ｂ（保持部材６０のレバー保持部６２）に当接した状態で下部側内扉３ｂの板面に対して鋭角の角度をなして前下がりに傾斜している。従って、下部側内扉３ｂに押し下げるような外力、或いは自動販売機に振動が加わった場合にロックレバー４０の係合部４３０が前下がりに傾斜した状態を維持しつつ下方に移動するので、ロックレバー４０には下部側内扉３ｂを商品収納庫の前面を閉塞した状態でロックする際の回転方向とは逆方向の回転力が作用することをなくすことができ、ロックレバー４０とロック板５０により下部側内扉３ｂのロック状態が不測に引き外されることはないものである。
【００３５】
前述したように、この実施の形態の自動販売機によれば、前面が開口した断熱筐体からなる本体キャビネット１と、この本体キャビネット１の商品収納庫の前面を閉塞して断熱する態様で前記本体キャビネットに開閉自在に軸支された片開き式の内扉３（下部側内扉３ｂ）と、内扉３（下部側内扉３ｂ）に取り付けた回転スライド式のロックレバー４０と本体キャビネット１に取り付けられたロック板５０とにより内扉３（下部側内扉３ｂ）を本体キャビネット１の商品収納庫の前面を閉塞した状態でロックする自動販売機であって、ロックレバー４０が直線状の軸部４１０と、この軸部４１０の一端側に軸部４１０の中心軸線に対して略垂直に延在する態様で折り曲げられた操作部４２０と、軸部４１０の他端側に軸部４１０の中心軸線に対して略垂直に延在し、かつ、操作部４２０に対して直交する態様で折り曲げられた係合部４３０とからなり、ロック板５０がロックレバー４０の係合部４３０を挿通可能な挿通孔５１０とロックレバー４０の回転により係合部が４３０の前方に向けて回動する場合に係合部４３０の先端と当接する当接面５５０とを有し、前記挿通孔５１０の上下方向の高さがロックレバー４０の回転により垂直方向を向く状態の係合部４３０を挿通可能な高さを有し、前記挿通孔５１の前後方向の幅がロックレバー４０の回転により係合部４３０の先端が当接面５５０に当接してから係合部４３０が水平方向を向く状態に至る際に軸部４１０が後方に移動するのを許容する幅を有する態様で形成されてなる自動販売機において、前記ロックレバー４０の係合部４３０は、ロックレバー４０の係合部４３０をロック板５０の当接面５５０に当接させて内扉３（下部側内扉３ｂ）を本体キャビネット１の商品収納庫の前面を閉塞した状態にロックした状態で、係合部４３０の先端のロック板５０の当接面５５０との当接位置が死点位置を超えた位置となる態様の角度で折り曲げてなることにより、ロックレバー４０の係合部４３０をロック板５０の当接面５５０に当接させて内扉３（下部側内扉３ｂ）を本体キャビネット１に係止した状態でロックレバー４０の係合部４３０は前下がりに傾斜してロックレバー４０の係合部４３０の先端のロック板５０の当接面５５０との当接位置が死点を越えて当接していることから、内扉３（下部側内扉３ｂ）に押し下げるような外力、或いは自動販売機に振動が加わった場合にロックレバー４０の係合部４３０が前下がりに傾斜した状態を維持しつつ下方に移動するので、ロックレバー４０に内扉３（下部側内扉３ｂ）を商品収納庫の前面を閉塞した状態でロックする際の回転方向とは逆方向の回転力が作用するのをなくすことができ、ロックレバー４０とロック板５０により内扉３（下部側内扉３ｂ）のロック状態が不測に引き外されるおそれがないという効果を奏するものでする。
【００３６】
なお、上述した実施の形態に記載のロック板５０は本体キャビネット１の補強枠１００を活用して補強枠１００の形状に対応したものについて説明したが、補強枠１００が凸部１１３を備えていない場合には従来装置のような薄い箱形に折り曲げて形成されたものとすることもできるものである。また、内扉３は上部側内扉３ａと下部側内扉３ｂに分割されたものについて説明したが、上下に分割したものに限らず、一枚のものであってもよいものである。したがって、本発明は実施の形態に限定されるものではない。
【符号の説明】
【００３７】
１…本体キャビネット、２…外扉、３…内扉、３ａ…上部側内扉、３ｂ…下部側内扉、４０…ロックレバー、５０…ロック板、４１０…軸部、４２０…操作部、４３０…係合部、５１０…挿通孔、５４０…ガイド片。
【図１】
2019105980.tif 000003
【図２】
2019105980.tif 000004
【図３】
2019105980.tif 000005
【図４】
2019105980.tif 000006
【図５】
2019105980.tif 000007
【図６】
2019105980.tif 000008
【図７】
2019105980.tif 000009
【図８】
2019105980.tif 000010